(57)【要約】【課題】容器本体から着脱する際に手指が滑りにくく、透明にした場合にはキャップ内に注ぎ入れた内容物をはっきりと視認できるキャップを提供する。【解決手段】上筒部１２と、上筒部１２の一方の開口端を塞ぐ天蓋部１４とを有するキャップ１であって；上筒部１２は、上筒部１２の周方向に交互に配置された、天蓋部１４から離れるにしたがって上筒部１２の周方向の幅が狭くなる第１の三角面２０と、天蓋部１４から離れるにしたがって上筒部１２の周方向の幅が広くなる第２の三角面２２とで構成された外周壁を有し；外周壁には、隣り合う第１の三角面２０と第２の三角面２２とが交わってできる、天蓋部１４側から見て時計回りの方向に下るように傾斜した第１の稜線２４と、天蓋部１４側から見て反時計回り方向に下るように傾斜した第２の稜線２６とが形成されている。【選択図】図１
2015128998.tif 000002
【特許請求の範囲】
【請求項１】
筒状部と、
前記筒状部の一方の開口端を塞ぐ天蓋部と
を有し、
前記筒状部は、複数の多角面で構成され、かつ隣り合う多角面が交わってできる稜線が形成された外周壁を有し、
前記外周壁には、前記天蓋部側から見て時計回りの方向に下るように傾斜した第１の稜線と、前記天蓋部側から見て反時計回り方向に下るように傾斜した第２の稜線とが形成されている、キャップ。
【請求項２】
前記筒状部が、透明である、請求項１に記載のキャップ。
【請求項３】
前記第１の稜線と前記第２の稜線とが、前記筒状部の周方向に交互に形成されている、請求項１または２に記載のキャップ。
【請求項４】
前記外周壁は、前記筒状部の周方向に交互に配置された、前記天蓋部から離れるにしたがって前記筒状部の周方向の幅が狭くなる第１の多角面と、前記天蓋部から離れるにしたがって前記筒状部の周方向の幅が広くなる第２の多角面とで構成されている、請求項３に記載のキャップ。
【請求項５】
前記第１の多角面および前記第２の多角面が、三角面または台形面である、請求項４に記載のキャップ。
【請求項６】
前記多角面の少なくとも一部が、凹面とされた、請求項１〜５のいずれか一項に記載のキャップ。
【請求項７】
前記筒状部は、前記天蓋部に向かうにしたがって外径が小さくされた縮径部を有し、
前記縮径部は、複数の多角面で構成され、かつ隣り合う多角面が交わってできる稜線が形成された外周壁を有し、
前記縮径部の外周壁には、前記天蓋部側から見て時計回りの方向に下るように傾斜した第１の稜線と、前記天蓋部側から見て反時計回り方向に下るように傾斜した第２の稜線とが形成されている、請求項１〜６のいずれか一項に記載のキャップ。
【発明の詳細な説明】
【技術分野】
【０００１】
本発明は、キャップに関する。
【背景技術】
【０００２】
液状物（液体洗剤、液体漂白剤、液体柔軟剤、溶剤等）、粉粒物（粒状洗剤、粒状漂白剤、粒状調味料等）等の内容物を収納する容器には、容器本体の口部に回動により着脱可能に螺着されるキャップが設けられている。このキャップには、回動により容器本体から着脱する際に手指が滑らないようにすることが求められる。このようなキャップとしては、例えば、下記のものが提案されている。
【０００３】
（１）キャップの周方向に直交する方向に伸びる複数の凸条または溝からなるローレット（ナール）がキャップの外周壁に形成されたキャップ（特許文献１）。
（２）天蓋側から見て外周形状が多角形とされたキャップ（特許文献２）。
（３）キャップの外周壁を部分的に凹ませた指当部を形成したキャップ（特許文献３）。
【先行技術文献】
【特許文献】
【０００４】
【特許文献１】特開２００１−３５４２４７号公報
【特許文献２】特開２００９−００７０６５号公報
【特許文献３】特許第３２８５１９５号公報（特開平１０−０７２０４７号公報）
【発明の概要】
【発明が解決しようとする課題】
【０００５】
ところで、キャップは、容器本体から注ぎ出した内容物を計量する計量キャップとして用いられることがある。しかし、（１）のキャップにおいては、ローレットが形成された部分で光が散乱するため、キャップ内に注ぎ入れた内容物をはっきりと視認できない。
また、回動により容器本体からキャップを着脱する際、キャップには手指から回動方向に力が加わる他、キャップを持ち上げるまたは押し込むために、キャップには手指から上下方向に力が加わる。しかし、（１）のキャップにおいては、ローレットの凸条または溝がキャップの周方向に直交する方向に延びるため、回動により容器本体から着脱する際に手指が凸条に沿って上下方向に滑りやすい。
【０００６】
（２）のキャップは、複数の四角面から構成され、かつ隣り合う四角面が交わってできる稜線が形成された外周壁を有するものである。（２）のキャップにおいては、回動により容器本体からキャップを着脱する際、稜線の部分に手指が掛止され、手指が回動方向に滑りにくい。しかし、（２）のキャップにおいては、稜線がキャップの周方向に直交する方向に延びるため、回動により容器本体から着脱する際に手指が稜線に沿って上下方向に滑りやすい。
【０００７】
（３）のキャップにおいては、回動により容器本体からキャップを着脱する際、指当部に手指が掛止され、手指が回動方向に滑りにくい。しかし、（３）のキャップにおいては、キャップを成形した際に金型を上下方向に抜く必要があることから、手指の上下方向への移動を規制するように外周壁を凹ませることができないため、回動により容器本体から着脱する際に手指が上下方向に滑りやすい。
【０００８】
本発明は、容器本体から着脱する際に手指が滑りにくく、透明にした場合にはキャップ内に注ぎ入れた内容物をはっきりと視認できるキャップを提供する。
【課題を解決するための手段】
【０００９】
本発明のキャップは、筒状部と、前記筒状部の一方の開口端を塞ぐ天蓋部とを有し；前記筒状部は、複数の多角面で構成され、かつ隣り合う多角面が交わってできる稜線が形成された外周壁を有し；前記外周壁には、前記天蓋部側から見て時計回りの方向に下るように傾斜した第１の稜線と、前記天蓋部側から見て反時計回り方向に下るように傾斜した第２の稜線とが形成されていることを特徴とする。
【００１０】
前記筒状部は、透明であることが好ましい。
前記第１の稜線と前記第２の稜線とは、前記筒状部の周方向に交互に形成されていることが好ましい。
前記外周壁は、前記筒状部の周方向に交互に配置された、前記天蓋部から離れるにしたがって前記筒状部の周方向の幅が狭くなる第１の多角面と、前記天蓋部から離れるにしたがって前記筒状部の周方向の幅が広くなる第２の多角面とで構成されていることが好ましい。
前記第１の多角面および前記第２の多角面は、三角面または台形面であることが好ましい。
【００１１】
前記多角面の少なくとも一部は、凹面とされていることが好ましい。
前記筒状部は、前記天蓋部に向かうにしたがって外径が小さくされた縮径部を有し；前記縮径部は、複数の多角面で構成され、かつ隣り合う多角面が交わってできる稜線が形成された外周壁を有し；前記縮径部の外周壁には、前記天蓋部側から見て時計回りの方向に下るように傾斜した第１の稜線と、前記天蓋部側から見て反時計回り方向に下るように傾斜した第２の稜線とが形成されていることが好ましい。
【発明の効果】
【００１２】
本発明のキャップは、容器本体から着脱する際に手指が滑りにくく、透明にした場合にはキャップ内に注ぎ入れた内容物をはっきりと視認できる。
【図面の簡単な説明】
【００１３】
【図１】本発明のキャップの一実施形態を示す斜視図である。
【図２】図１のキャップの側面図である。
【図３】図１のキャップの上面図である。
【図４】図２のＩＶ−ＩＶ断面図である。
【図５】図２のＶ−Ｖ断面図である。
【図６】図２のＶＩ−ＶＩ断面図である。
【発明を実施するための形態】
【００１４】
以下の用語の定義は、本明細書及び特許請求の範囲にわたって適用される。
「透明」とは、可視光を透過することを意味する。よって、可視光を透過する点では、「半透明」は、透明に包含される。
「多角面」とは、３つ以上の角を有する面を意味する。多角面の辺は、直線に限定されず、湾曲していてもよい。筒状部の外周壁に配置された複数の多角面の形状、サイズ等は、すべて同じであってもよく、一部または全部で異なっていてもよい。
「稜線」とは、隣り合う多角面が交わってできる山の頂部の連なりの線分を意味する。逆に「谷線」とは、隣り合う多角面が交わってできる谷の底部の連なりの線分を意味する。ここで「交わる」とは、隣り合う多角面が出会って少なくとも１つの辺を共有することを意味する。稜線および谷線は、直線に限定されず、湾曲していてもよい。
「第１の稜線」とは、天蓋部側から見て時計回りの方向に下るように傾斜した、すなわち筒状部の側方から見て左下がりに傾斜した稜線である。筒状部の外周壁に複数の第１の稜線が形成されている場合、第１の稜線の傾斜角は、すべて同じであってもよく、一部または全部で異なっていてもよい。
「第２の稜線」とは、天蓋部側から見て反時計回りの方向に下るように傾斜した、すなわち筒状部の側方から見て右下がりに傾斜した稜線である。筒状部の外周壁に複数の第２の稜線が形成されている場合、第２の稜線の傾斜角は、すべて同じであってもよく、一部または全部で異なっていてもよい。
「第１の多角面」とは、天蓋部から離れるにしたがって筒状部の周方向の幅が狭くなる形状の多角面である。筒状部の外周壁に複数の第１の多角面が配置されている場合、第１の多角面の形状、サイズ等は、すべて同じであってもよく、一部または全部で異なっていてもよい。
「第２の多角面」とは、天蓋部から離れるにしたがって筒状部の周方向の幅が広くなる形状の多角面である。筒状部の外周壁に複数の第２の多角面が配置されている場合、第２の多角面の形状、サイズ等は、すべて同じであってもよく、一部または全部で異なっていてもよい。
「縮径部」とは、筒状部において天蓋部に接続する部分であって、天蓋部に向かうにしたがって外径が小さくされることによって、縮径部以外の筒状部本体に比べ、外周壁が筒状部の軸線方向に対して傾斜している部分を意味する。筒状部本体は、縮径部に比べて小さい傾斜角で、外周壁が筒状部の軸線方向に対して傾斜していてもよい。
【００１５】
（第１の実施形態）
図１は、本発明のキャップの一実施形態を示す斜視図であり、図２は、側面図であり、図３は、上面図である。図４は、図２のＩＶ−ＩＶ断面図であり、図５は、図２のＶ−Ｖ断面図であり、図６は、図２のＶＩ−ＶＩ断面図である。
【００１６】
キャップ１は、容器（図示略）の計量キャップとして用いられるものである。
キャップ１は、キャップ本体１０と、キャップ本体１０の外壁面から外方に延設された螺合部４０とが一体成形されたものである。
キャップ本体１０の外径は、特に限定されないが、例えば、２〜５ｃｍとされる。
螺合部４０の外径は、特に限定されないが、例えば、３〜７ｃｍとされる。
【００１７】
キャップ本体１０は、筒状の上筒部１２（筒状部）と、上筒部１２の一方の開口端を塞ぐ、上面側からみて多角形の天蓋部１４と、上筒部１２の他方の開口端から上筒部１２の軸線方向に延設された筒状の下筒部１６とを有する有蓋筒状のものである。
上筒部１２は、上筒部本体１２ａと、天蓋部１４に接続する縮径部１２ｂとから構成される。縮径部１２ｂは、天蓋部１４に向かうにしたがって外径が小さくされることによって、上筒部本体１２ａに比べ、外周壁が上筒部１２の軸線方向に対して傾斜している。
【００１８】
上筒部本体１２ａは、上筒部本体１２ａの周方向に交互に配置された、天蓋部１４から離れるにしたがって上筒部本体１２ａの周方向の幅が狭くなる第１の三角面２０（第１の多角面）と、天蓋部１４から離れるにしたがって上筒部本体１２ａの周方向の幅が広くなる第２の三角面２２（第２の多角面）とで構成された外周壁を有する。
【００１９】
上筒部本体１２ａの外周壁には、隣り合う第１の三角面２０と第２の三角面２２とが交わってできる、天蓋部１４側から見て時計回りの方向に下るように傾斜した第１の稜線２４と、天蓋部１４側から見て反時計回り方向に下るように傾斜した第２の稜線２６とが形成されている。
【００２０】
第１の稜線２４と第２の稜線２６とは、第１の三角面２０と第２の三角面２２とが上筒部本体１２ａの周方向に交互に配置されることにより、上筒部本体１２ａの周方向に交互に形成されている。また、第１の稜線２４の末端と第２の稜線２６の末端とは、上筒部本体１２ａの軸線方向の端部において接する。
【００２１】
第１の三角面２０は、第１の稜線２４および第２の稜線２６から、第１の三角面２０を上筒部本体１２ａの周方向に直交する方向に二等分する中間線（図示略）に向かうにしたがって深くされた凹面とされている（図４参照）。
【００２２】
縮径部１２ｂは、縮径部１２ｂの周方向に交互に配置された、天蓋部１４から離れるにしたがって縮径部１２ｂの周方向の幅が狭くなる第１の三角面３０（第１の多角面）と、天蓋部１４から離れるにしたがって縮径部１２ｂの周方向の幅が広くなる第２の三角面３２（第２の多角面）とで構成された外周壁を有する。
【００２３】
縮径部１２ｂの外周壁には、隣り合う第１の三角面３０と第２の三角面３２とが交わってできる、天蓋部１４側から見て時計回りの方向に下るように傾斜した第１の稜線３４と、天蓋部１４側から見て反時計回り方向に下るように傾斜した第２の稜線３６とが形成されている。
【００２４】
第１の稜線３４と第２の稜線３６とは、第１の三角面３０と第２の三角面３２とが縮径部１２ｂの周方向に交互に配置されることにより、縮径部１２ｂの周方向に交互に形成されている。また、第１の稜線３４の末端と第２の稜線３６の末端とは、縮径部１２ｂの軸線方向の端部において接する。
【００２５】
また、上筒部本体１２ａの第１の稜線２４と縮径部１２ｂの第１の稜線３４とが連続し、上筒部本体１２ａの第２の稜線２６と縮径部１２ｂの第２の稜線３６とが連続し、上筒部本体１２ａと縮径部１２ｂとが一体感を有する。
【００２６】
第１の三角面２０と第２の三角面２２との合計の数、および第１の三角面３０と第２の三角面３２との合計の数は、それぞれ６〜３６が好ましく、８〜２４がより好ましく、９〜１３がさらに好ましい。合計の数が６以上であれば、上筒部１２が筒状となる。合計の数が１３以下であれば、外周壁において隣り合う第１の三角面２０と第２の三角面２２とがなす内角が大きくなりすぎない。そのため、第１の稜線２４および第２の稜線２６の部分に手指が掛止されやすくなり、手指が滑りにくくなる。
【００２７】
上筒部本体１２ａの外周壁において、第１の稜線２４の傾斜角θ１および第２の稜線２６の傾斜角θ２は、上筒部本体１２ａの周方向に直交する方向を基準（０度）にして、５〜３０度が好ましく、７〜２５度がより好ましく、１０〜２０度がさらに好ましい。傾斜角θ１および傾斜角θ２が５度以上であれば、回動により容器本体からキャップ１を着脱する際、手指の上下方向への移動が第１の稜線２４または第２の稜線２６で充分に規制されるため、手指が上下方向に滑りにくい。傾斜角θ１および傾斜角θ２が３０度以下であれば、回動により容器本体からキャップ１を着脱する際、手指の回動方向への移動が第１の稜線２４または第２の稜線２６で充分に規制されるため、手指が回動方向に滑りにくい。
【００２８】
上筒部本体１２ａの内周壁は、外周壁と同様に、上筒部本体１２ａの周方向に交互に配置された、第１の三角面（第１の多角面）と第２の三角面（第２の多角面）とで構成されている。また、上筒部本体１２ａの内周壁には、隣り合う第１の三角面と第２の三角面とが交わってできる、天蓋部１４側から見て時計回りの方向に下るように傾斜した第１の谷線と、天蓋部１４側から見て反時計回り方向に下るように傾斜した第２の谷線とが形成されている。
上筒部本体１２ａの外周壁の第１の三角面２０と内周壁の第１の三角面とは、略同じ形状、略同じサイズであり、上筒部本体１２ａの肉厚部を挟んで同じ位置に配置されている。また、上筒部本体１２ａの外周壁の第２の三角面２２と内周壁の第２の三角面とは、略同じ形状、略同じサイズであり、上筒部本体１２ａの肉厚部を挟んで同じ位置に配置されている。
【００２９】
縮径部１２ｂの内周壁は、外周壁と同様に、縮径部１２ｂの周方向に交互に配置された、第１の三角面（第１の多角面）と第２の三角面（第２の多角面）とで構成されている。また、縮径部１２ｂの内周壁には、隣り合う第１の三角面と第２の三角面とが交わってできる、天蓋部１４側から見て時計回りの方向に下るように傾斜した第１の谷線と、天蓋部１４側から見て反時計回り方向に下るように傾斜した第２の谷線とが形成されている。
縮径部１２ｂの外周壁の第１の三角面３０と内周壁の第１の三角面とは、略同じ形状、略同じサイズであり、縮径部１２ｂの肉厚部を挟んで同じ位置に配置されている。また、縮径部１２ｂの外周壁の第２の三角面３２と内周壁の第２の三角面とは、略同じ形状、略同じサイズであり、縮径部１２ｂの肉厚部を挟んで同じ位置に配置されている。
【００３０】
上筒部１２には、キャップ本体１０に収納した内容物の量を示す複数の目盛（図示略）が形成されている。各目盛は、天蓋部１４から下筒部１６に向かう距離を示す計量線と数字と容量を示す単位とからなる。目盛としては、例えば、レーザー印字、印刷（シルクスクリーン印刷、タンポ印刷等）によって形成された印字、または凸条もしくは凹条等が挙げられる。
【００３１】
螺合部４０は、上筒部１２の他方の開口端から外方に延設された段部４２と、段部４２の周縁から上筒部１２の軸線方向に延設された、キャップ本体１０と同軸の外筒部４４とを有する。
外筒部４４の内周壁には、容器本体のネジ部と螺合するネジ部４６が形成されている。
外筒部４４の外周壁には、外筒部４４の周方向に直交する方向に延びる複数の凸条が周方向に複数並んで形成されたローレット部５０、およびローレット部５０に隣接する、凸条が形成されていない平滑部５２が形成されている。
【００３２】
キャップ１は、キャップ内に注ぎ入れた内容物をはっきりと視認する点から、少なくとも上筒部１２が透明な材料からなることが好ましく、全体が透明な材料からなることがより好ましい。
キャップ１の材料としては、例えば、ポリオレフィン（ポリエチレン、ポリプロピレン等）、ポリエステル（ポリエチレンテレフタレート等）、ポリスチレン等が挙げられる。
【００３３】
キャップ１は、従来の計量キャップと同様に、上筒部１２の外周壁に手指を当接してキャップ本体１０を把持し、軸線を中心にして回動させることで、螺合部４０の部分で容器本体（図示略）の口部に螺着または螺脱される。この際、使用者の手指は、上下方向への移動および回動方向への移動が第１の稜線２４または第２の稜線２６で充分に規制されるため、手指が上下方向および回動方向に滑りにくい。そのため、キャップ１を容器本体に容易に螺着または螺脱できる。
【００３４】
内容物を計量する際は、キャップ１を容器本体から螺脱し、容器本体から内容物を注ぎ出し、注ぎ出した内容物を下筒部１６の開口端からキャップ本体１０内に注ぎ入れる。この際、目盛が形成された上筒部１２を手で塞がないように螺合部４０を把持することで、目盛と内容物とを照合できる。そして、使用者は、ローレット部５０に手指を当接させることで手指の滑りが防止され、キャップ１を落下させることなく、内容物を計量できる。
【００３５】
（作用機序）
以上説明したキャップ１にあっては、上筒部本体１２ａが複数の三角面で構成された外周壁を有し、外周壁には、天蓋部１４側から見て時計回りの方向に下るように傾斜した第１の稜線２４と、天蓋部１４側から見て反時計回り方向に下るように傾斜した第２の稜線２６とが形成されているため、回動により容器本体から着脱する際に手指の上下方向への移動および回動方向への移動が第１の稜線２４または第２の稜線２６で充分に規制される。そのため、手指が上下方向および回動方向に滑りにくい。
【００３６】
また、上筒部本体１２ａの外周壁に第１の稜線２４および第２の稜線２６が形成されているため、従来のキャップのように外周壁にローレットを形成する必要がない。そして、第１の稜線２４と第２の稜線２６との間では、三角面によって充分な透光性を確保でき、光の散乱が起こらない。よって、上筒部本体１２ａを透明とすることによって、キャップ１内に注ぎ入れた内容物をはっきりと視認できる。
【００３７】
また、第１の稜線２４と第２の稜線２６とが、上筒部本体１２ａの周方向に交互に形成されているため、上筒部１２の外周壁のどの部分に手指を当接させても、手指が第１の稜線２４および第２の稜線２６のいずれにも当接し、確実に手指の滑りを抑えることができる。
【００３８】
また、上筒部本体１２ａの外周壁が、上筒部本体１２ａの周方向に交互に配置された第１の三角面２０と第２の三角面２２とで構成されているため、第１の稜線２４と第２の稜線２６とを上筒部１２の周方向に交互に、かつ連続して形成できる。そのため、より確実に手指の滑りを抑えることができるとともに、上筒部１２に宝石のカットのような意匠性を付与できる。
【００３９】
また、第１の三角面２０が凹面とされているため、手指が凹面に掛止されやすくなり、より確実に手指の滑りを抑えることができる。また、凹面によって光が複雑に反射および出射するため、上筒部１２に宝石のカットのような意匠性をさらに付与できる。
【００４０】
また、縮径部１２ｂが、複数の三角面で構成された外周壁を有し、外周壁には、天蓋部１４側から見て時計回りの方向に下るように傾斜した第１の稜線３４と、天蓋部１４側から見て反時計回り方向に下るように傾斜した第２の稜線３６とが形成されているため、手指の滑りを抑えつつ、上筒部１２における宝石のカットのような意匠性をさらに高めることができる。また、縮径部１２ｂを有することによって、把持した時に手のひらにフィットし、キャップ１を握りやすくなる。
【００４１】
（他の実施形態）
なお、本発明のキャップは、筒状部と天蓋部とを有し、筒状部が複数の多角面で構成された外周壁を有し、外周壁に第１の稜線と第２の稜線とが形成されたものであればよく、図示例の実施形態のものに限定はされない。
【００４２】
例えば、本発明のキャップは、図示例のようなキャップ本体と螺合部とからなる二重筒構造のものに限定されず、筒状部の開口端近傍の内周壁にネジ部を設けた単筒構造のものであってもよい。二重筒構造の場合、外筒部の外周壁にローレット部が形成されていなくてもよい。
また、本発明のキャップは、容器本体の口部に着脱可能に取り付けられキャップであればよく、計量キャップに限定はされない。
また、本発明のキャップは、透明なものに限定はされず、不透明なものであってもよい。ただし、上述したように、少なくとも筒状部は透明であることが好ましい。
また、本発明のキャップは、縮径部を有するものに限定はされず、縮径部を有しなくてもよい。
また、天蓋部は、図示例のような平面形状に限定はされず、軸線方向に漸次縮径する半球形状であってもよい。
【００４３】
また、多角面は、図示例のような三角面に限定はされず、台形面、ひし形面、平行四辺形面等であってもよい。ただし、手指の滑りにくさ、成形性および意匠性の点からは、三角形面または台形面が好ましい。
また、図示例では、上筒部本体の外周壁の第１の三角面が凹面とされていたが、第２の三角面が凹面とされいてもよく、両方が凹面とされいてもよい。また、縮径部の外周壁の第１の三角面および第２の三角面の一方または両方が凹面とされていてもよい。また、凹面は、内方に向かって凹んだ面であればよく、その形状は特に限定はされない。
【００４４】
また、複数の多角面で構成される外周壁は、図示例のような第１の多角面と第２の多角面とが筒状部の周方向に交互に配置されているものに限定はされない。複数の多角面の形状、サイズ等は、すべて同じであってもよく、一部または全部で異なっていてもよい。ただし、図示例に示すように、同じ形状、同じサイズの第１の多角面と同じ形状、同じサイズの第２の多角面とが筒状部の周方向に交互に形成されていることが好ましい。
また、外周壁は、図示例のような第１の稜線と第２の稜線とが筒状部の周方向に交互に形成されているものに限定はされず、第１の稜線または第２の稜線の一部が並んで形成されたものであってもよく、筒状部の周方向に直交する方向に延びる稜線が途中に形成されたものであってもよい。第１の稜線の傾斜角は、すべて同じであってもよく、一部または全部で異なっていてもよい。第２の稜線の傾斜角は、すべて同じであってもよく、一部または全部で異なっていてもよい。ただし、図示例に示すように、同じ傾斜角の第１の稜線と同じ傾斜角の第２の稜線とが筒状部の周方向に交互に形成されていることが好ましい。
【産業上の利用可能性】
【００４５】
本発明のキャップは、液状物（液体洗剤、液体漂白剤、液体柔軟剤、溶剤等）、粉粒物（粒状洗剤、粒状漂白剤、粒状調味料等）等の内容物を収納する容器の、容器本体の口部に回動により着脱可能に螺着されるキャップとして有用である。
【符号の説明】
【００４６】
１  キャップ
１０  キャップ本体
１２  上筒部（筒状部）
１２ａ  上筒部本体
１２ｂ  縮径部
１４  天蓋部
１６  下筒部
２０  第１の三角面（第１の多角面）
２２  第２の三角面（第２の多角面）
２４  第１の稜線
２６  第２の稜線
３０  第１の三角面（第１の多角面）
３２  第２の三角面（第２の多角面）
３４  第１の稜線
３６  第２の稜線
４０  螺合部
４２  段部
４４  外筒部
４６  ネジ部
５０  ローレット部
５２  平滑部
【図１】
2015128998.tif 000003
【図２】
2015128998.tif 000004
【図３】
2015128998.tif 000005
【図４】
2015128998.tif 000006
【図５】
2015128998.tif 000007
【図６】
2015128998.tif 000008